(57)【要約】      （修正有）【課題】保存と携行に便利な液体補充容器を備える霧化器を提供する。【解決手段】霧化器は外部ハウジングと、その内部に覆われる霧化装置と、を有する。容器は補充液を充填していて、かつ開口部にシールを設けられる。外部ハウジングに少なくとも一つの取付溝を設けられ、かつ取付溝にシール破壊構造を内設し、取付溝と霧化装置とを接続する。これにより、容器を取付溝の内部に取り付けた後、シール破壊構造によってシールを破壊して、補充液は順調に取付溝に流し込み、霧化装置が霧化して使用に備え、さらに、補充液が外部ハウジングを汚して霧化装置が故障することを防止できる。【選択図】図１
0003181122.tif 000002
【実用新案登録請求の範囲】
【請求項１】
液体補充容器を備える霧化器であって、
補充液を充填し、開口部はシールに覆われる容器と、
収容空間を内設し、少なくとも一つの取付溝を設け、前記取付溝と前記収容空間が連絡しており、前記取付溝の内部にシール破壊構造を設ける外部ハウジングと、前記外部ハウジングの前記収容空間に内設していて、かつ前記外部ハウジングの表面には、前記補充液を霧化して噴霧する少なくとも一つの噴霧穴を形成し、前記容器を前記取付溝に取り付けたとき、前記シール破壊構造によって前記シールを破壊し、前記補充液を前記取付溝の内部に流し込み、前記補充液を霧化する霧化装置と、を有する霧化器と、を備えることを特徴とする、
液体補充容器を備える霧化器。
【請求項２】
前記シール破壊構造は突き出しピン又は裁断部又はこれらを組み合わせて構成することを特徴とする、請求項１記載の液体補充容器を備える霧化器。
【請求項３】
前記裁断部は複数の鋭い歯を有し、前記鋭い歯は間隔を有し連続していないように設置することを特徴とする、請求項２記載の液体補充容器を備える霧化器。
【請求項４】
前記裁断部は複数の鋭い歯を有し、前記鋭い歯は隣接して設け、輪状構造体を形成することを特徴とする、請求項２記載の液体補充容器を備える霧化器。
【請求項５】
前記シールがシールフィルムのとき、前記シール破壊構造は突き破りまたは切り付けあるいはその組み合わせなどの方式によって前記シールを破壊することを特徴とする、請求項２記載の液体補充容器を備える霧化器。
【請求項６】
前記シールには少なくとも一対の切り取り線を設け、かつ一対の前記切り取り線は交差して設けていて、前記突き出しピンによって前記シールの突き破ることを特徴とする、請求項５記載の液体補充容器を備える霧化器。
【請求項７】
前記シールが球体のとき、前記シール破壊構造は密閉状の前記シールを突き上げて破壊することを特徴とする、請求項２記載の液体補充容器を備える霧化器。
【請求項８】
前記容器の外部は、前記取付溝の内壁表面に備える第２ねじ山部にねじ込み接続するための第１ねじ山部を設けることを特徴とする、請求項１記載の液体補充容器を備える霧化器。
【請求項９】
前記容器の外部は、前記取付溝の内壁表面に備える少なくとも一対の掛け合い部の内部に掛け合って設ける少なくとも一対のほぞを設けることを特徴とする、請求項１記載の液体補充容器を備える霧化器。
【請求項１０】
前記掛け合い部はそれぞれ前記ほぞに対応して案内溝を設け、かつ前記案内溝の内部は前記ほぞの突起部に対応して掛け合うことを特徴とする、請求項９記載の液体補充容器を備える霧化器。
【請求項１１】
前記容器の外部は、前記取付溝の内壁表面に備える少なくとも一対の弧形案内溝に滑り込み、掛け合って設ける少なくとも一対の突起粒を設けることを特徴とする、請求項１記載の液体補充容器を備える霧化器。
【考案の詳細な説明】
【技術分野】
【０００１】
本考案は霧化装置の分野に関し、特に保存及び携行が便利で、かつ簡単に交換及び取付け可能な液体補充容器を備える霧化器に関する。
【背景技術】
【０００２】
工業、商業が進歩する現代の人々は、高度化の物質生活を享受する一方、生活環境の変化に伴い、たとえば、長時間に空調環境に生活しているため、呼吸器の病気を引き起こしやすい。この問題の改善を図るため、アロマセラピー（Ａｒｏｍａｔｈｅｒａｐｙ、芳香療法ともいう）が使用されている。アロマセラピーは古代のエジプトから伝わった一種の自然療法であり、主に芳香植物から抽出される精油（ｅｓｓｅｎｔｉａｌ  ｏｉｌ）を媒体として、マッサージ、入浴、蒸気吸入などの方式を介して呼吸器または肌を経由して体の内部に吸収させ、ストレス解消及び健康増進などの効果を達成する。
その原理はたとえば、ラベンダー、レモン、レモングラスまたは薔薇などの植物精油または水やその他薬剤を使用し混合した後、空気中に散布し、芳香の匂いを発生できるほか、臭気除去の効果を有し、その雰囲気で呼吸するとストレス解消及び治療の効果が得られる。
【０００３】
現在の立ち上げ蒸気によるアロマセラピーは、精油分子を精油灯で燃焼して部屋に香りを満たす方法であるが、火事や爆発の危険性がある。もう一種の電子式芳香器は電子素子の振動効果を利用し液状の精油を高速に微小分子に霧化して噴霧させ、精油の香気を短時間に素早く拡散させる。その拡散範囲は広く、現在の芳香療法で使用者のベストチョイズになっている。
この数年は、この種の電子式芳香器がさらに美容効果または医療効果を持つ噴霧に進化し、美容効果を有する液体を霧化して上肌に噴霧させ、霧化された液体分子粒を素早く肌に吸収し、美容効果を達成する。同じく、美容効果を備える液体を医療効果を有する液体に置き換えて噴霧することもできる。また、医療分野では、呼吸方式によって吸入することもできる。この種の装置の多くは従来の粉錠または霧化粒子状の呼吸治療器の代わりに、呼吸治療分野に応用し、呼吸器病気の患者に適用して、従来に比べて、より優れる医療効果を発揮できる。
【考案の概要】
【考案が解決しようとする課題】
【０００４】
しかし、芳香器が現在使用している霧化用液体（美容効果の液体と医療効果の液体とを含む）の成分には精油、水または揮発性の液体が含まれており、使用効果を確保するため、この種の霧化用液体の濃度が適宜に調合されている上に、適切に保存して置かなければ、霧化用の液体が揮発して濃度が変わってしまう。
さらに、多くの市販芳香器は体積の大小や、携帯式であるか否かにかかわらず、本体と、霧化装置と、液体補充容器と、を設けるか、または本体と、霧化装置と、液体補充容器とを一体に成形し、使用するとき外部の充填容器から液体補充容器に添加する仕組みになっている。
もしくは、霧化装置と、液体補充容器とを一体に成形しているが、本体を分離した設計は、直接に霧化用液体を液体補充容器の内部に添加される。もう一種は、本体と霧化装置とを一体に成形するが、液体補充容器とを分離した設計では、あらかじめ霧化用液体を液体補充容器に添加した後、液体補充容器と、本体とを結合させる。
【０００５】
以上３つの設計を適用すると、以下に示す欠点が見られる。
【０００６】
イ、液体を添加するとき、霧化用液体が溢れ出して無駄となり、しかも添加の回数を繰り返されると、保存及び表面を汚すなどの問題を引き起こす。
【０００７】
ロ、本体が霧化用液体の溢れ出しによって、故障しやすい。
【０００８】
ハ、いったん別の容器に移してから液体を添加するため、使用の便は極めて悪い。
【課題を解決するための手段】
【０００９】
このため、本案は液体補充容器を備える霧化器を提供し、調合済みの補充液を容器に充填して置き、容器の開口部に保存と携行が便利な使い捨て式のシールを設ける。本考案は霧化器に対応してシールを破壊するためのシール破壊構造を設け、組み合わせて使用するときに、シールを連続して切り付け、または段階的に切り付けあるいは突き破るなどの方式によって、シールを破壊して、補充液を順調に取付溝に流して霧化に備える。よって、使用の利便性を向上し、公知技術による欠点を避けることができる。
【００１０】
本考案の一目的は、シール破壊構造と、使い捨て式容器とを組み合わせた後、補充液を順調に流して霧化に備える。使用の利便性を向上できる、液体補充容器を備える霧化器を提供することである。
【００１１】
本考案のつぎの目的は、使い捨て式の容器構造を利用し、容易に保存および携行可能な液体補充容器を備える霧化器を提供することである。
【００１２】
本考案のもう一つの目的は、外部ハウジングと容器とのねじ込み接続または掛け合い固定の設計を利用して、両者を回動または圧迫などの方式により組み合わせ結合することができ、組み合わせ結合した後が抜けにくい、液体補充容器を備える霧化器を提供することである。
【００１３】
前述目的を達成するため、本考案の液体補充容器を備える霧化器は、補充液を充填され、その開口部にシールを設ける容器と、収容空間を内設し、少なくとも一つの取付溝を設けられ、取付溝と収容空間とを連絡していて、取付溝の内部に少なくとも一つのシール破壊構造を設ける外部ハウジングと、外部ハウジングの収容空間に内設していて、外部ハウジングの表面は少なくとも一つの噴霧穴を形成して、霧化された補充液の噴出に提供する霧化装置とを含む霧化器と、を備える。
そのうち、霧化装置は多孔噴霧プレートと、圧電素子と、駆動用の電気回路板と、を含み、多孔噴霧プレートは収容空間に備える噴霧穴の付近側に内設し、圧電素子は噴霧穴のもう一側に位置し、駆動用の電気回路板は圧電素子と電気導通し、圧電素子の稼働を駆動する。
【００１４】
これにより、容器を取付溝の内部に取り付けたとき、シール破壊構造によって突き破りまたは切り付けあるいはその組み合わせなどの方式でシールを破壊して、補充液を順調に取付溝に流して、霧化装置の使用に提供する。シールはさらに、少なくとも一対の切り取り線を設けていて、かつ切り取り線は交差して設けられている。
【００１５】
一実施例において、容器の材質はたとえば、ガラス、プラスチック、セラミックまたは金属のいずれかを選択する。シールがシールフィルムのとき、シールフィルムの材質は紙、金属フィルム、シリコンフィルムのいずれかを選択する。容器は補充液を容易に保存でき、かつ使用者の携行に便利な使い捨て式の設計となっている。
【００１６】
一実施例において、シール破壊構造は少なくとも一つの突き出しピンと、少なくとも一つの裁断部と、その組み合わせのいずれかである。突き出しピンは取付溝の中心位置または偏心位置のいずれかに取り付けられ、突き破りまたは突き開けに提供する。
裁断部は複数の鋭い歯を有し、鋭い歯は連続せず間隔置きに設けるか、または鋭い歯を隣接して輪状構造体を形成して設けられ、一体成形して取付溝の内部に設け、裁断部は分離式の輪状構造体を形成しても良い。このほか、鋭い歯の形状は三角形、矩形、テーパー形、シート状、突起ピン状のいずれかを形成していて、鋭い歯は高さを等しく設けるか、または鋭い歯の高さを変えて、次第に高くなるように設置しても良い。
【００１７】
一実施例において、容器の外部は取付溝の内壁表面に備える第２ねじ山部にねじ込み接続するための第１ねじ山部を設け、締め付け方式により、両者を一体に結合させる。または容器の外部は、取付溝の内壁表面に備える一対の掛け合い部に掛け合うため、少なくとも一対のほぞをさらに設け、掛け合い部はそれぞれほぞに対応して案内溝を設け、案内溝はほぞの突起部に対応して掛け合って、滑り移動による掛け合い方式を利用して、両者を一体に結合させる。
あるいは容器の外部に少なくとも一対の突起粒を設け、取付溝の内壁表面に備える少なくとも一対の弧形案内溝に滑り移動して掛け合う方式によって、両者を一体に結合しても良い。前述の組み合わせ方式と、シール破壊構造によるシール破壊との組み合わせで、補充液を取付溝に順調に流して、霧化装置の霧化に提供することができる。
【図面の簡単な説明】
【００１８】
【図１】本考案の好ましい実施例の立体分解図である。
【図２】本考案の好ましい実施例における組立後の立体外観図である。
【図３】本考案の好ましい実施例組立後の断面視図である。
【図４】本考案の好ましい実施例の一つの実施態様図である。
【図５Ａ】本考案の好ましい実施例もう一つの実施態様図である（その１）。
【図５Ｂ】本考案の好ましい実施例もう一つの実施態様図である（その２）。
【図６】本考案の好ましい実施例もう一つの実施態様図である。
【図７】本考案の好ましい実施例さらに一つの実施態様図である。
【図８】本考案の好ましい実施例一種の固定方式の構造態様図である。
【図９】本考案の好ましい実施例もう一種の固定方式の構造態様図である。
【図１０】本考案の好ましい実施例さらに一種の固定方式の構造態様図である。
【図１１】本考案の好ましい実施例さらにもう一種のシール方式の構造態様図である。
【考案を実施するための形態】
【００１９】
本考案の内容のさらなる理解を図るため、下記の図面を参照して説明する。
【実施例】
【００２０】
図１ないし３を参照して、本考案の好ましい実施例の立体分解図、組立後の立体外観図と組立後の断面視図とを参照する。図示のとおり、本考案の液体補充容器を備える霧化器は、少なくとも一つの容器１と、これに対応する霧化器２と、を備える。
そのうち、容器１の内部に充填液３を充填し、かつ容器１の開口部場所はシール１１を設けていて、あらかじめに調合していた充填液３をその内部に密封して置くことで、良い保存効果が得られる。
さらに、容器１の材質はガラス、プラスチック、セラミックまたは金属のいずれかを選択する。特に注意したいことは、本考案による容器１は使い捨て式の設計を例示しているが、その種の容器１の材質によって、使用後には回収して再使用することができ、資材の無駄を軽減することができる。シール１１の材質は紙、金属フィルム、シリコンフィルムまたはプラスチックフィルムのいずれかを選択することによって、異なる保存効果が得られる。
【００２１】
霧化器２は外部ハウジング２１と、霧化装置２２と、２つの部分を含める。そのうち、外部ハウジング２１に収容空間２１１を内設し、外部ハウジング２１に取付溝２１２を設け、取付溝２１２は収容空間２１１に連絡していて、かつ取付溝２１２の内部にシール破壊構造２１３を設けられている。霧化装置２２は外部ハウジング２１の収容空間２１１に内設し、外部ハウジング２１の表面に噴霧穴２１５を形成しており、補充液３を霧化した上噴霧穴２１５からの噴霧に提供する。
さらに、霧化装置２２は多孔噴霧プレート２２１と、圧電素子２２２と、駆動用の電気回路板２２３と、を含み、多孔噴霧プレート２２１は収容空間２１１の内部にて噴霧穴２１５付近の一側に取り付け、多孔噴霧プレート２２１は複数の穴（図示しない）を設けており、圧電素子２２２は多孔噴霧プレート２２１に位置し、駆動用の電気回路板２２３は圧電素子２２２とを電気接続によって稼働を駆動し、圧電素子２２２を駆動された後に発生する高速振動が孔噴霧プレート２２１とを合わせて、補充液３を充分に霧化した上、噴霧穴２１５より噴霧させる。
【００２２】
特に注意したいことは、本考案は突き破りまたは突き開けまたはその組み合わせなど、複数種のシール１１破壊の方法が提供されている。よって、複数種のシール破壊構造２１３に対応できる。
一例として、図１に示すものは本考案一実施態様であり、シール破壊構造２１３は突き出しピン２１３１と、裁断部２１３２とを同時に取付溝２１２の内部に設ける態様である。そのうち、突き出しピン２１３１は取付溝２１２の偏心位置に取り付けて、シール１１の突き破りに提供する。ただし、突き出しピン２１３１の設置位置はこの限りでない。取付溝２１２の中心位置（図示しない）に設置しても良い。
さらに、シール１１は少なくとも一対の切り取り線を設けていて、かつ切り取り線は交差してＸ形を形成されている。一方、切り取り線を設ける場所は薄く成形しているため、突き出しピン２１３１は容易にシール１１を突き破ることができる。裁断部２１３２は複数の鋭い歯を有し、鋭い歯の形状は三角形、矩形、テーパー形、シート状または突起ピンのいずれかを選択でき、鋭い歯同士は隣接して設けていて、輪状構造体を形成し、かつ一体成形によって取付溝２１２の内部に取り付けるかまたは分離設計にして、取付溝２１２の内部に組み付けることもできる。
【００２３】
前述のほかに、図４、５Ａ、５Ｂ、６、７の、本考案の好ましい実施例による関連の実施態様図を参照する。図４を図１と合わせて参照する。裁断部２１３２は４つの鋭い歯を有しており、かつ４つの鋭い歯は連続せず間隔置きに、それぞれ輪状構造体の４つの点に設けられている。さらに、本考案の突き出しピン２１３１または裁断部２１３２を単独に取付溝２１２に内設することもできる。
図５に示すものは、取付溝２１２の内部に突き出しピン２１３１のみの設計となっている。シール１１（本実施例において、シール１１はシールフィルムを例示する）が容易に破壊されるように、突き出しピン２１３１の先端部はテーパー構造に形成し、かつテーパー面において、それぞれ複数の溝２１３１１を設けて、シール１１を突き破りまたは突き開ける（本実施例において、突き破りを例示しているが、この限りでない）。補充液３はたとえば、溝２１３１１を介して取付溝２１２の内部に流すことができる。
さらに、図６に示すものは、取付溝２１２の内部に裁断部２１３２のみを設ける設計である。裁断部２１３２は高さを等しく複数の鋭い歯を設ける。または図７に示すように、裁断部２１３２の鋭い歯の高さは異なっていて、かつ次第に高くなるように設置する。複数の鋭い歯を次第に高くする設計の目的は切り付けのとき、絶えずシール１１（本実施例において、シール１１はシールフィルムを例示する）を押しつけるため、シール１１をより順調に切り付けることができる。前述２種の実施態様においては、シール１１を切り付ける方式によって破壊し、充填液を取付溝２１２に流せる。
【００２４】
よって、図３に示すように、容器１を霧化器２に結合して使用するときは、容器１の開口部を取付溝２１２に照準してその内部に取り付けて、シール破壊構造２１３を利用して、突き破りまたは切り付けあるいはその組み合わせ方式などによってシール１１を破壊して、補充液３を順調に取付溝２１２の内部に流し込み、霧化装置２２にて霧化し、使用に提供する。
【００２５】
容器１と霧化器２との組み合わせ結合が便利に行え、かつ組み合わせ結合した後、簡単に抜けないようにするため、本考案において、以下数種の容器１と霧化器２に固定する構造が提供されている。図８、９、１０の、本考案の好ましい実施例による各種固定方式の構造態様図を参照する。
【００２６】
図８に示すように、容器１の外部は第１ねじ山部１２を設け、かつ霧化器２の取付溝２１２の内壁表面が第２ねじ山部２３に対応しているため、容器１はねじ込み接続方式により、取付溝２１２の内部に設置することができる。
ねじ込み接続するときの回動と、突き出しピン２１３１とを合わせて、シール１１（本実施例において、シール１１はシールフィルムを例示する）を突き破り、裁断部２１３２によって容器１の開口部よりシール１１を切り付け、補充液３（図示しない）を取付溝２１２の内部に流せる。
【００２７】
図９に示すものは、容器１の外部に一対のほぞ１３を設けていて、かつ一対のほぞ１３は釣り合って容器１の開口部の外壁表面に設けられている。霧化器２の取付溝２１２の内壁表面はこれに対応して、一対の掛け合い部２４を設けられ、掛け合い部２４はそれぞれ案内溝２４１を設けていて、かつ案内溝２４１の内部にてほぞ１３の突起部２４２に対応して掛け合っている。よって、両者を組み合わせるとき、ほぞ１３はそれぞれ掛け合い部２４の案内溝２４１に対応して滑り込んだ後、引き続き突起部２４２を利用し、ほぞ１３の案内溝２４１内部の位置に対応して掛け合って置く。
本考案による直線滑り移動方式はさらに、図５に示す突き出しピン２１３１のみの設計に適用し、シール１１（本実施例においてシール１１はシールフィルムを例示する）を突き破り、補充液３を取付溝２１２に流すことができる。
【００２８】
図１０に示す例では、容器１の外部に一対の突起粒１４を設け、かつ一対の突起粒１４は釣り合って容器１の開口部に設けられており、霧化器２の取付溝２１２の内壁表面はこれに合わせて、一対の弧形案内溝２５を設けられる。さらに、弧形案内溝２５は下向きに一側辺に延在して設けられ、かつ弧形案内溝２５の末端部は一対の突起粒１４の大きさに対応しており、組付けた後は圧迫の固定方式を形成される。
よって、両者を組み合わせるとき、一対の突起粒１４が一対の弧形案内溝２５の方向に沿って、回転しながら滑り移動し、突き出しピン２１３１と合わせて、シール１１（本実施例において、シール１１はシールフィルムを例示する）を突き破り、裁断部２１３２が容器１の開口部よりシール１１を切り付け、補充液３（図示しない）を取付溝２１２の内部に流せる。
【００２９】
引き続き図１１の、本考案の好ましい実施例のさらにもう一種のシール方式の構造態様図を参照する。このうち、容器１の内部は充填液３（図示しない）を充填され、容器１の開口部は球体１５を設けられている。
図示のものは、一般に常用するガラス球を設け、容器１の開口部をシールして置き、補充液３の流出を防止する。さらに、容器１を収容する取付溝２１２にシール破壊構造２１４を内設しており、シール破壊構造２１４は前述突き出しピン２１３１の構造に類似し、容器１を取付溝２１２の内部に取り付けたとき、シール破壊構造２１４を利用して、球体１５を突き開けて、容器１の内部に落として、密閉状のシールを破壊した上、補充液３絞り出して、取付溝２１２の内部に流せる。
【００３０】
以上説明したとおり、本考案の使い捨て式容器１と、霧化器２は、異なるタイプのシール破壊構造２１３、２１４の設計を利用して、容器１の開口部のシール１１を突き破り、突き開けまたはその組み合わせなどの方式によって、密閉状のシール１１を破壊して、補充液３を順調に霧化器２の内部に流して、霧化し使用に提供でき、操作は非常に便利である。
さらに、容器１は使い捨て式設計のため、容易に保存と携行ができるなどの効果がある。このほか、容器と霧化器２との間の締め付けまたは掛け合い接続による固定の設計は、回動または押し込みなどの運動を形成するため、組み合わせ結合された後は、容易に離脱しない。
【符号の説明】
【００３１】
１          容器
１１        シール
１２        第１ねじ山部
１３        ほぞ
１４        突起粒
１５        球体
２          霧化器
２１        外部ハウジング
２１１      収容空間
２１２      取付溝
２１３      シール破壊構造
２１３１    突き出しピン
２１３１１  溝
２１３２    裁断部
２１４      シール破壊構造
２１５      噴霧穴
２２        霧化装置
２２１      多孔噴霧プレート
２２２      圧電素子
２２３      駆動用の電気回路板
２３        第２ねじ山部
２４        掛け合い部
２５        弧状案内溝
３          補充液
【図１】
0003181122.tif 000003
【図２】
0003181122.tif 000004
【図３】
0003181122.tif 000005
【図４】
0003181122.tif 000006
【図５Ａ】
0003181122.tif 000007
【図５Ｂ】
0003181122.tif 000008
【図６】
0003181122.tif 000009
【図７】
0003181122.tif 000010
【図８】
0003181122.tif 000011
【図９】
0003181122.tif 000012
【図１０】
0003181122.tif 000013
【図１１】
0003181122.tif 000014